(57)【要約】【課題】記録媒体に記録されたＡＶデータ（元のＡＶデータ）を再生する際に、該元のＡＶデータに関連する複数の関連ＡＶデータを後から組み合わせて同時に再生できるようにする。【解決手段】記録再生装置は、ＲＯＭディスク１６に記録されたＡＶデータを読み込むための外部デバイスインタフェースと、ＲＯＭディスク１６に記録されたＡＶデータに関連する複数の関連ＡＶデータ及び前記ＡＶデータの管理情報を記録したサーバ装置と接続するためのネットワークインタフェースと、記録領域２０とを有し、前記サーバ装置から複数の関連ＡＶデータと共に、該関連ＡＶデータの再生処理を管理するための関連管理情報が追記された前記ＡＶデータの管理情報を記録領域２０にダウンロードし、ダウンロードした管理情報に従って、ＲＯＭディスク１６に記録されたＡＶデータ及び記録領域２０にダウンロードした関連ＡＶデータを同時に再生制御する。【選択図】図７
2010205396.tif 000002
【特許請求の範囲】
【請求項１】
記録媒体からデータを読み出す読み出し手段と、外部からデータを取得する取得手段と、該取得したデータを記録する記録領域とを備えた再生装置によるＡＶデータ再生方法であって、
前記記録媒体には第１のＡＶデータが記録され、
前記取得手段は、外部から取得した第１の管理情報と第２のＡＶデータを前記記録領域に記録し、
前記第１の管理情報は前記第１のＡＶデータと、前記第２のＡＶデータとを参照する情報を含み、
前記再生装置が、前記第１の管理情報に基づき、前記第１のＡＶデータと前記第２のＡＶデータとを同期再生することを特徴とするＡＶデータ再生方法。
【請求項２】
請求項１に記載のＡＶデータ再生方法において、
前記取得手段はさらに第３のＡＶデータを前記記録領域に記録し、
前記第１の管理情報はさらに前記第３のＡＶデータを参照する情報を含み、
前記再生装置が、前記第２のＡＶデータの代わりに前記第３のＡＶデータを、前記第１のＡＶデータと同期再生するＡＶデータとして選択することを特徴とするＡＶデータ再生方法。
【請求項３】
請求項１に記載のＡＶデータ再生方法において、
前記記録媒体には第２の管理情報が記録されており、
前記第２の管理情報は前記第１のＡＶデータを参照しており、
前記再生装置が、前記第１の管理情報及び前記第２のＡＶデータが存在するか否かを判定し、前記第１の管理情報及び前記第２のＡＶデータの少なくともいずれか一方が存在しない場合、前記第２の管理情報に基づき、前記第１のＡＶデータを再生することを特徴とするＡＶデータ再生方法。
【発明の詳細な説明】
【技術分野】
【０００１】
本発明は、ＡＶデータ再生方法、より詳細には、映像，音声，字幕などを含むＡＶデータの再生処理をそのＡＶデータの管理情報を用いて行うためのＡＶデータ再生方法に関する。
【背景技術】
【０００２】
現在、映像，音声，字幕等のＡＶデータを記録する手段として、ＤＶＤなどのディスク状の記録媒体が普及している。その理由のひとつとして、ランダムアクセス可能な点が挙げられる。ランダムアクセスの特徴は、任意のデータ記録位置に非常に短い時間で移動し、データの読み込みを開始できることである。例えば、ＡＶデータの再生時間軸上での再生時刻とデータの記録位置を対応させた管理情報を用意すれば、再生時間軸上のユーザの望む再生時刻から再生を開始することが出来る。
【０００３】
従来のディスク再生方法について下記の図１１及び図１２に基づいて説明する。
図１１は、従来のディスク状記録媒体に記録されたデータ構成例を示す図で、図中、１０１はディスク状記録媒体で、該ディスク状記録媒体１０１には、Ｃｌｉｐ  ＡＶ  Ｓｔｒｅａｍ，Ｃｌｉｐ  Ｉｎｆｏ，Ｐｌａｙｉｔｅｍ，Ｐｌａｙｌｉｓｔが記録されている。Ｃｌｉｐ  ＡＶ  Ｓｔｒｅａｍには映像や音声などのＡＶデータが多重化されて記録されている。多重化されたＡＶデータには映像の他に複数の音声や字幕なども含まれており、選択して再生することが出来る。Ｃｌｉｐ  Ｉｎｆｏにはディスク状記録媒体１０１におけるＡＶデータの記録位置と、ＡＶデータの再生時間軸上の再生時刻とを対応させる情報が記録されている。Ｐｌａｙｉｔｅｍは、ＡＶデータのある区間を管理する情報であり、Ｃｌｉｐ  Ｉｎｆｏの記録されているファイル名，再生時間軸上でのＣｌｉｐ  ＡＶ  Ｓｔｒｅａｍの再生開始時刻（Ｉｎ点），再生終了時刻（Ｏｕｔ点）を持つ。Ｐｌａｙｌｉｓｔはひとつ以上のＰｌａｙｉｔｅｍから構成され、再生順にＰｌａｙｉｔｅｍが記録されている管理情報である。
【０００４】
図１２は、図１１に示したＰｌａｙｌｉｓｔが管理するＡＶデータを先頭から再生する場合の再生方法を説明するためのフロー図である。まず、ユーザが記録再生装置に対して、ディスク状記録媒体１０１のデータを読み込むように指示し、読み込み指示を受けた記録再生装置は、Ｐｌａｙｌｉｓｔを読み込む（ステップＳ１０１）。次に、ＰｌａｙｌｉｓｔからＰｌａｙｉｔｅｍを抽出する（ステップＳ１０２）。次に、Ｐｌａｙｉｔｅｍが管理するＣｌｉｐ  Ｉｎｆｏを参照し、Ｐｌａｙｉｔｅｍが管理するＡＶデータの再生時間軸上の再生時間をＣｌｉｐ  ＡＶ  Ｓｔｒｅａｍの記録されているディスク状記録媒体１０１上のアドレスに変換する（ステップＳ１０３）。最後に、指定された記録区間のＣｌｉｐ  ＡＶ  Ｓｔｒｅａｍの再生を行う。以上がディスク状記録媒体１０１の再生方法である。
【０００５】
また、Ｐｌａｙｌｉｓｔは同時に２つのＡＶデータを再生、管理することができ、それぞれを上述したＰｌａｙｉｔｅｍ列で管理する。このＰｌａｙｉｔｅｍそれぞれをＭａｉｎｐａｔｈ及びＳｕｂｐａｔｈと呼び、このＳｕｂｐａｔｈは主に記録メディアにおいて、アフレコに使用される。アフレコとは、再生される映像に対応する音声とは異なる音声を同一の時間に記録・再生することである。
【０００６】
上記ＳｕｂｐａｔｈのＰｌａｙｉｔｅｍは、Ｃｌｉｐ  Ｉｎｆｏの記録されているファイル名，再生時間軸上でのＣｌｉｐ  ＡＶ  Ｓｔｒｅａｍの再生開始時刻（Ｉｎ点），再生終了時刻（Ｏｕｔ点）のほか、ＭａｉｎｐａｔｈのＰｌａｙｉｔｅｍが管理するＡＶデータと同時に再生するために次の２つの情報を持つ。一つはＳｕｂｐａｔｈのＰｌａｙｉｔｅｍが管理しているＡＶデータと同時に再生するＡＶデータを管理しているＭａｉｎｐａｔｈのＰｌａｙｉｔｅｍを特定する情報である。もう一つはＭａｉｎｐａｔｈの再生時間上でＳｕｂｐａｔｈのＰｌａｙｉｔｅｍが管理するＡＶデータの再生開始を指定する再生時刻情報である。これらの情報により、ＳｕｂｐａｔｈのＰｌａｙｉｔｅｍが管理するＡＶデータを再生する際に、まず同時に再生するＡＶデータのＭａｉｎｐａｔｈのＰｌａｙｉｔｅｍを特定し、その特定したＰｌａｙｉｔｅｍが管理するＡＶデータの指定時刻にＳｕｂｐａｔｈのＰｌａｙｉｔｅｍが管理するＡＶデータの再生を開始することができる。
【０００７】
上述したように、ＳｕｂｐａｔｈのＰｌａｙｉｔｅｍを使うことで、多重化に含まれない他のＡＶデータを多重化（元の）ＡＶデータと組み合わせて同時に再生することができる。さらにこれを利用して、元のＡＶデータの内容と関係のあるＡＶデータをダウンロードして同時に再生することが考えられる。ここでいうダウンロードとは、ユーザが使いたいデータを、サーバ装置等からユーザ端末に、コピーすることである。
【０００８】
ここで、ディスク内に記録されている情報を確認、所望の情報の検索を簡便に行えるようにした方法が開示されている（例えば、特許文献１参照）。これは、ＤＶＲＶｏｌｕｍｅ（）内に、ディスク内に記録されている全ての情報に関する情報が記述され、この記述により、ディスク内に記録されている情報を確認できるようにすると共に、Ｔａｂｌｅ  Ｏｆ  Ｐｌａｙｌｉｓｔ（）内に、ディスク内記録されている情報を再生する際の情報が記述され、この記述により、所望の情報の検索を簡便に行うことができるようにしたものである。
【先行技術文献】
【特許文献】
【０００９】
【特許文献１】特開２００２−１５７８５９号公報
【発明の概要】
【発明が解決しようとする課題】
【００１０】
上述したごとくの方法により、複数のＡＶデータを同時に再生することを考えた場合、元のＡＶデータと組み合わせられる他のＡＶデータは一つとは限らない。例えば、元のＡＶデータとして米国映画を考えると、組み合わせて再生する他のＡＶデータとして、この米国映画の日本語字幕データ、オランダ語字幕データなど複数の字幕データ等が考えられる。しかしながら、上述した方法では、ひとつのＰｌａｙｌｉｓｔはひとつのＳｕｂｐａｔｈしか管理できないため、多くのＰｌａｙｌｉｓｔを管理しなければならなくなる。このことは、上記特許文献１においても同様である。
【００１１】
また、元のＡＶデータを記録したメディアが読み込み専用のメディア（例えば、ＤＶＤ−ＲＯＭなど）であった場合に、ダウンロードしたＡＶデータを上記記録メディアとは異なる記録メディアに記録し、組み合わせて再生を行いたい場合があるが、上述した方法では実現されていない。
【００１２】
本発明は、上述のごとき実情に鑑みてなされたものであり、多重化されたＡＶデータ（以下、元のＡＶデータという）を再生する際に、元のＡＶデータの管理情報に、当該元のＡＶデータに含まれない複数の関連ＡＶデータの関連管理情報を追記可能とし、この関連管理情報を追記した管理情報を用いて、元のＡＶデータと、関連ＡＶデータとを組み合わせて同時に再生できるようにし、さらには、元のＡＶデータが記録された記録媒体と、複数の関連ＡＶデータが記録された記録媒体とが異なる場合でも、元のＡＶデータと、関連ＡＶデータとを組み合わせて同時に再生できるようにすること、を目的としてなされたものである。
【課題を解決するための手段】
【００１３】
上記課題を解決するために、第１の技術手段は、記録媒体からデータを読み出す読み出し手段と、外部からデータを取得する取得手段と、該取得したデータを記録する記録領域とを備えた再生装置によるＡＶデータ再生方法であって、前記記録媒体には第１のＡＶデータが記録され、前記取得手段は、外部から取得した第１の管理情報と第２のＡＶデータを前記記録領域に記録し、前記第１の管理情報は前記第１のＡＶデータと、前記第２のＡＶデータとを参照する情報を含み、前記再生装置が、前記第１の管理情報に基づき、前記第１のＡＶデータと前記第２のＡＶデータとを同期再生することを特徴としたものである。
【００１４】
第２の技術手段は、第１の技術手段において、前記取得手段はさらに第３のＡＶデータを前記記録領域に記録し、前記第１の管理情報はさらに前記第３のＡＶデータを参照する情報を含み、前記再生装置が、前記第２のＡＶデータの代わりに前記第３のＡＶデータを、前記第１のＡＶデータと同期再生するＡＶデータとして選択することを特徴としたものである。
【００１５】
第３の技術手段は、第１の技術手段において、前記記録媒体には第２の管理情報が記録されており、前記第２の管理情報は前記第１のＡＶデータを参照しており、前記再生装置が、前記第１の管理情報及び前記第２のＡＶデータが存在するか否かを判定し、前記第１の管理情報及び前記第２のＡＶデータの少なくともいずれか一方が存在しない場合、前記第２の管理情報に基づき、前記第１のＡＶデータを再生することを特徴としたものである。
【発明の効果】
【００１６】
多重化されたＡＶデータ（元のＡＶデータ）を再生する際に、元のＡＶデータの管理情報に、当該元のＡＶデータに含まれない複数の関連ＡＶデータの関連管理情報を追記可能とし、この関連管理情報が追記された管理情報を用いて、元のＡＶデータと、関連ＡＶデータとを組み合わせて同時に再生することができるため、元のＡＶデータに対して複数の関連ＡＶデータが後から追加された場合でも、任意にＡＶデータを組み合わせて同時に再生することができる。
また、元のＡＶデータ及び関連ＡＶデータそれぞれの管理情報をひとつにまとめることができるため、記録再生装置やサーバ装置上のデータ領域を節約することができる。
また、元のＡＶデータが記録された記録媒体と、複数の関連ＡＶデータが記録された記録媒体とが異なる場合でも、元のＡＶデータと、関連ＡＶデータとを組み合わせて同時に再生できるため、記録領域を有する記録再生装置において、再生専用の記録メディアに記録されたＡＶデータと組み合わせて再生するための字幕データや音声データなどを上記記録領域に記録して利用することが出来る。
【図面の簡単な説明】
【００１７】
【図１】本発明の一実施形態に係わる記録再生装置の内部構成例について説明するためのブロック図である。
【図２】ＲＯＭディスクに記録されている元のＡＶデータの構成例を示す図である。
【図３】ダウンロードされる関連ＡＶデータと、その関連ＡＶデータと共にダウンロードされる当該関連ＡＶデータの管理情報との対応関係の一例を説明するための図である。
【図４】関連ＡＶデータと、その管理情報とをダウンロードする方法の一例を説明するためのフロー図である。
【図５】ＡＶデータを再生する方法の一例を説明するためのフロー図である。
【図６】記録再生装置内の記録領域に記録されている管理情報及び関連ＡＶデータの構成例を示す図である。
【図７】ＲＯＭディスクに記録されている関連情報及び元のＡＶデータと、記録再生装置内の記録領域に記録されている管理情報及び関連ＡＶデータとの対応関係の一例を示す図である。
【図８】記録再生装置内の記録領域に記録された関連ＡＶデータを削除する方法を説明するためのフロー図である。
【図９】図６に示した記録領域からＤｏｗｎｌｏａｄｅｄ  Ｃｌｉｐ  Ｉｎｆｏ３及びＤｏｗｎｌｏａｄｅｄ  Ｃｌｉｐ  ＡＶ  Ｓｔｒｅａｍ３を削除した後の記録領域に記録されている管理情報及び関連ＡＶデータの一例を示す図である。
【図１０】図６に示した記録領域からＤｏｗｎｌｏａｄｅｄ  Ｃｌｉｐ  Ｉｎｆｏ３及びＤｏｗｎｌｏａｄｅｄ  Ｃｌｉｐ  ＡＶ  Ｓｔｒｅａｍ３を削除した後のＲＯＭディスクに記録されている関連情報及び元のＡＶデータと、記録再生装置内の記録領域に記録されている管理情報及び関連ＡＶデータとの対応関係の一例を示す図である。
【図１１】従来のディスク状記録媒体に記録されたデータ構成例を示す図である。
【図１２】図１１に示したＰｌａｙｌｉｓｔが管理するＡＶデータを先頭から再生する場合の再生方法を説明するためのフロー図である。
【発明を実施するための形態】
【００１８】
本発明の一実施形態として、ディスク状の読み込み専用媒体であるＲＯＭディスクに記録されているＡＶデータと、当該ＡＶデータを再生するための記録再生装置内の記録領域にダウンロードした関連ＡＶデータとを組み合わせて同時に管理，再生するためのＡＶデータの管理方法について説明する。
【００１９】
図１は、本発明の一実施形態に係わる記録再生装置の内部構成例について説明するためのブロック図で、図中、１０は記録再生装置で、該記録再生装置１０は、処理部１１，外部デバイスインタフェース１２，デバイスインタフェース１３，ネットワークインタフェース１４，ユーザインタフェース１５から構成される。処理部１１は、各インタフェースから得た情報を利用して、ＡＶデータをデコードする。外部デバイスインタフェース１２は、記録媒体１６からＡＶデータなどのデータを読み込み、処理部１１に引き渡すことが出来る。ここで、記録媒体１６とは、例えば、ＣＤ−ＲＯＭ，ＣＤ−Ｒ（−ＲＷ），ＤＶＤ−ＲＯＭ（−Ｒ／−ＲＷ）などを含むＲＯＭ（又はＲＡＭ）ディスクや、メモリカードなどの半導体メモリなどを指す。
【００２０】
以下の説明において、ＡＶデータとは、映像、音声、字幕、もしくはそれらを再生するために必要な情報の全てもしくは一部を指すものとし、１つのＡＶデータは、例えば、１つの映画やゲーム等を提供するために必要なプログラムファイル及びデータファイル全体から構成されている。
【００２１】
ネットワークインタフェース１４は、ネットワーク１７を介して、ネットワーク１７に接続されているサーバ装置（図示せず）からＡＶデータをダウンロードし、処理部１１に引き渡すことが出来る。本例では、記録媒体１６とネットワーク１７のいずれからもＡＶデータを取得することが出来る構成としているが、これに限定されず何れか一方だけであっても良い。
【００２２】
ユーザインタフェース１５は、ディスプレイ１８、コントローラ１９に接続されている。処理部１１は、ユーザインタフェース１５を通じてＡＶデータなどをディスプレイ１８に出力してユーザにＡＶデータを視聴させることが出来る。また、コントローラ１９から入力されるユーザの要求は、ユーザインタフェース１５を介して処理部１１に伝えられる。
【００２３】
デバイスインタフェース１３は、記録媒体２０からＡＶデータを読み込んだり、記録媒体２０にＡＶデータを書き出したりすることが出来る。ここで、記録媒体２０は、内蔵又は外付けのハードディスク（磁気記憶）装置や、ＡＶデータを記録可能なＲＯＭ（又はＲＡＭ）ディスクやメモリカードなどのリムーバブルな記録媒体であってもよい。
【００２４】
処理部１１は、予め用意されたＡＶデータもしくはいずれかのインタフェースを経由して読み込んだＡＶデータを、その管理情報に従って再生制御する機能や、サーバ装置等に記録されているＡＶデータ及びその管理情報をダウンロードする機能を有し、記録再生装置１０が実行する各種処理の制御を行う。
【００２５】
上述したように、本実施形態の記録再生装置１０は、ＲＯＭディスク等の記録媒体１６からＡＶデータを読み込んで再生する機能を有する。また、装置内に記録領域を持っており、ダウンロードしたＡＶデータを記録することが出来る。ただし、記録再生装置１０は、上記記録領域を自装置内でなく他の場所に持っていても良い。また、記録媒体１６は、ＲＯＭディスクではなく、ＲＡＭディスクであっても良い。また、ディスクに限らず、半導体メモリなど、他の記録メディアであってもよい。
本実施形態に係わる記録再生装置１０は、ＡＶデータを管理するためのＳｕｂｐａｔｈを、ひとつのＰｌａｙｌｉｓｔに複数記録できるように構成されている。
以下の各実施形態の説明においては記録媒体１６をＲＯＭディスク１６、記録媒体２０を記録再生装置１０内の記録領域２０（以下、記録領域２０）とした場合を代表例として説明するものとする。
【００２６】
＜ダウンロードされる関連ＡＶデータと、その管理情報との対応関係＞
図１に示した記録再生装置１０を用いてダウンロードされる関連ＡＶデータと、その管理情報との対応関係について説明する。まず、ダウンロードされる関連ＡＶデータの管理情報を作成する方法について下記の図２及び図３に基づいて説明する。
図２は、ＲＯＭディスク１６に記録されている元のＡＶデータの構成例を示す図である。ＲＯＭディスク１６において、Ｐｌａｙｌｉｓｔ１は図１１に示したＰｌａｙｌｉｓｔ、Ｃｌｉｐ  Ｉｎｆｏ１は図１１に示したＣｌｉｐ  Ｉｎｆｏ、Ｃｌｉｐ  ＡＶ  Ｓｔｒｅａｍ１は図１１に示したＣｌｉｐ  ＡＶ  Ｓｔｒｅａｍに相当するデータである。Ｐａｔｈ１は一つ以上のＰｌａｙｉｔｅｍで構成され、図１１に示したＰｌａｙｉｔｅｍ（Ｍａｉｎｐａｔｈ）に相当する。
【００２７】
次に、図２に示す元のＡＶデータに組み合わせて再生する関連ＡＶデータ（及びその管理情報）の作成及び提供方法について説明する。尚、ここでの処理は、ＡＶデータを提供するコンテンツ提供側で実行される。
図３は、ダウンロードされる関連ＡＶデータと、その関連ＡＶデータと共にダウンロードされる当該関連ＡＶデータの管理情報との対応関係の一例を説明するための図である。
まず、図３（Ａ）に示すように、コンテンツ提供者が最初に関連ＡＶデータとしてＤｏｗｎｌｏａｄｅｄ  Ｃｌｉｐ  ＡＶ  Ｓｔｒｅａｍ１及びＤｏｗｎｌｏａｄｅｄ  Ｃｌｉｐ  Ｉｎｆｏ１を提供する場合、Ｄｏｗｎｌｏａｄｅｄ  Ｐｌａｙｌｉｓｔ１（管理情報１）を作成する。Ｄｏｗｎｌｏａｄｅｄ  Ｐｌａｙｌｉｓｔ１は、図２に示したＰｌａｙｌｉｓｔ１（元のＡＶデータに対応）にＳｕｂｐａｔｈとして、Ｄｏｗｎｌｏｄｅｄ  Ｐａｔｈ１を追加したものである。Ｄｏｗｎｌｏａｄｅｄ  Ｐａｔｈ１は、Ｄｏｗｎｌｏａｄｅｄ  Ｃｌｉｐ  Ｉｎｆｏ１を参照する一つ以上のＰｌａｙｉｔｅｍで構成される。
【００２８】
図３（Ｂ）に示すように、コンテンツ提供者が次に提供するＡＶデータとしてＤｏｗｎｌｏａｄｅｄ  Ｃｌｉｐ  ＡＶ  Ｓｔｒｅａｍ２及びＤｏｗｎｌｏａｄｅｄ  Ｃｌｉｐ  Ｉｎｆｏ２を提供する場合、Ｄｏｗｎｌｏａｄｅｄ  Ｐｌａｙｌｉｓｔ２（管理情報２）を作成する。Ｄｏｗｎｌｏａｄｅｄ  Ｐｌａｙｌｉｓｔ２は、図３（Ａ）に示すＤｏｗｎｌｏａｄｅｄ  Ｐｌａｙｌｉｓｔ１にＳｕｂ  Ｐａｔｈとして、Ｄｏｗｎｌｏａｄｅｄ  Ｐａｔｈ２を追加したものである。Ｄｏｗｎｌｏａｄｅｄ  Ｐａｔｈ２は、Ｄｏｗｎｌｏａｄｅｄ  Ｃｌｉｐ  Ｉｎｆｏ２を参照する一つ以上のＰｌａｙｉｔｅｍで構成される。
【００２９】
さらに、図３（Ｃ）に示すように、Ｄｏｗｎｌｏａｄｅｄ  Ｃｌｉｐ  ＡＶ  Ｓｔｒｅａｍ３及びＤｏｗｎｌｏａｄｅｄ  Ｃｌｉｐ  ｉｎｆｏ３を提供する場合、Ｄｏｗｎｌｏａｄｅｄ  Ｐｌａｙｌｉｓｔ３（管理情報３）を作成する。Ｄｏｗｎｌｏａｄｅｄ  Ｐｌａｙｌｉｓｔ３は、図３（Ｂ）に示すＤｏｗｎｌｏａｄｅｄ  Ｐｌａｙｌｉｓｔ２にＳｕｂｐａｔｈとしてＤｏｗｎｌｏａｄｅｄ  Ｐａｔｈ３を追加したものである。Ｄｏｗｎｌｏａｄｅｄ  Ｐａｔｈ３は、Ｄｏｗｎｌｏａｄｅｄ  Ｃｌｉｐ  Ｉｎｆｏ３を参照する一つ以上のＰｌａｙｉｔｅｍで構成される。
【００３０】
このように、ダウンロードする関連ＡＶデータの管理情報（Ｐｌａｙｌｉｓｔ）は、ダウンロードする関連ＡＶデータの提供を開始する時点で、最新の管理情報に、つまりＰａｔｈの数が一番多い管理情報にＰａｔｈを追加して作成する。
【００３１】
このとき、元のＡＶデータ（例えば、米国映画など）の関連ＡＶデータとして、例えば、Ｄｏｗｎｌｏａｄｅｄ  Ｃｌｉｐ  ＡＶ  Ｓｔｒｅａｍ１が日本語字幕、Ｄｏｗｎｌｏａｄｅｄ  Ｃｌｉｐ  ＡＶ  Ｓｔｒｅａｍ２がオランダ語字幕、Ｄｏｗｎｌｏａｄｅｄ  Ｃｌｉｐ  ＡＶ  Ｓｔｒｅａｍ３がフランス語字幕というような提供が可能になる。ただし、関連ＡＶデータは字幕データに限らず、例えば、アフレコ音声など再生可能な様々なデータが適用可能である。
【００３２】
＜関連ＡＶデータ及びその管理情報のダウンロード方法＞
次に、上記で説明した関連ＡＶデータと、その関連ＡＶデータの管理情報とをダウンロードする方法について下記の図４に基づいて説明する。
図４は、関連ＡＶデータと、その管理情報とをダウンロードする方法の一例を説明するためのフロー図である。まず、ユーザが記録再生装置１０から、ＲＯＭディスク１６に記録されている元のＡＶデータに関連する関連ＡＶデータをサーバ装置からダウンロードする指示を行う。次に、記録再生装置１０はサーバ装置に通信を開始する（ステップＳ１）。サーバ装置にはダウンロード可能である関連ＡＶデータの一覧が格納されており、この一覧を元に、ユーザがダウンロードする関連ＡＶデータを選択する（ステップＳ２）。記録再生装置１０は、選択された関連ＡＶデータを記録領域２０にダウンロードする（ステップＳ３）。次に、ダウンロードする関連ＡＶデータに対応した管理情報を検索し（ステップＳ４）、その管理情報を記録領域２０にダウンロードする（ステップＳ５）。
【００３３】
すなわち、前述の図３（Ａ）に示したＤｏｗｎｌｏａｄｅｄ  Ｃｌｉｐ  ＡＶ  Ｓｔｒｅａｍ１をダウンロードする場合、対応する管理情報１（Ｄｏｗｎｌｏａｄｅｄ  Ｐｌａｙｌｉｓｔ１）もダウンロードする。同様に、図３（Ｃ）に示したＤｏｗｎｌｏａｄｅｄ  Ｃｌｉｐ  ＡＶ  Ｓｔｒｅａｍ３をダウンロードする場合は、対応する管理情報３（Ｄｏｗｎｌｏａｄｅｄ  Ｐｌａｙｌｉｓｔ３）もダウンロードする。
【００３４】
また、関連ＡＶデータは必ずしも提供された順番にダウンロードする必要はなく、必要に応じてダウンロードすれば良い。
また、ダウンロードした管理情報は記録再生装置１０内の記録領域２０に記録された管理情報と比較して、古い管理情報である場合、つまりＰａｔｈの数が少ない場合は記録再生装置１０内の記録領域２０に記録しなくともよい。また、管理情報をダウンロードする前に、当該管理情報が、既に記録領域２０に記録されている管理情報と比較して新しいかどうかの判定を行って、その判定結果に基づいて、サーバ装置から管理情報をダウンロードするかどうかを判断してもよい。
また、サーバ装置が提供する管理情報は、そのサーバ装置が提供可能な最新の管理情報、つまりそのサーバ装置が提供可能な一番Ｐａｔｈの多い管理情報のみを提供するようにしてもよい。
【００３５】
＜ＡＶデータの再生方法＞
次に、上記関連ＡＶデータ及びその管理情報のダウンロード方法によりダウンロードした管理情報を用いて、記録再生装置１０内にダウンロードされた関連ＡＶデータとＲＯＭディスク１６に記録されている元のＡＶデータとを組み合わせて再生する方法について下記の図５に基づいて説明する。
図５は、ＡＶデータを再生する方法の一例を説明するためのフロー図である。最初に、ユーザが記録再生装置１０から、ＲＯＭディスク１６に記録されている元のＡＶデータの再生指示を行う。記録再生装置１０は、ＲＯＭディスク１６に記録されている元のＡＶデータに関連する管理情報が、記録再生装置１０内の記録領域２０に記録されているかどうか判断する（ステップＳ１１）。ここで、ＲＯＭディスク１６に記録されている元のＡＶデータに関連する管理情報であるかの判断は、例えば、ＲＯＭディスク１６に記録されている元のＡＶデータのタイトル名を、ダウンロードされた管理情報に記録しておくなどの方法が考えられる。
【００３６】
上記ステップＳ１１において、記録再生装置１０は、記録再生装置１０内の記録領域２０に、ＲＯＭディスク１６に記録されている元のＡＶデータに関連する管理情報が記録されていない場合（ＮＯの場合）、ＲＯＭディスク１６から該当する管理情報を読み込み（ステップＳ１２）、ステップＳ１７に移行し、ＲＯＭディスク１６に記録されている管理情報のＭａｉｎｐａｔｈが管理する多重化（元の）ＡＶデータと、Ｓｕｂｐａｔｈが管理する関連ＡＶデータとから再生対象のＡＶデータを選択し（ステップＳ１７）、選択したＡＶデータを組み合わせて再生する。これは、ＲＯＭディスク１６に記録されているＡＶデータのみを再生する場合と同様の処理である。
【００３７】
また、記録再生装置１０は、上記ステップＳ１１において、記録再生装置１０内の記録領域２０に、ＲＯＭディスク１６に記録されている元のＡＶデータに関連する管理情報が記録されている場合（ＹＥＳの場合）、記録再生装置１０内の記録領域２０に記録されている管理情報及びＲＯＭディスク１６に記録されている管理情報のうちで最新の、つまり一番Ｐａｔｈの多い管理情報を検索し（ステップＳ１３）、検索した管理情報を解釈する（ステップＳ１４）。管理情報のＭａｉｎｐａｔｈはＲＯＭディスク１６に記録されている元のＡＶデータを参照するＰｌａｙｉｔｅｍで構成されている。
【００３８】
次に、記録再生装置１０は、管理情報の各Ｄｏｗｎｌｏａｄｅｄ  Ｐａｔｈを構成するＰｌａｙｉｔｅｍが参照する関連ＡＶデータ、つまりＤｏｗｎｌｏａｄｅｄ  Ｃｌｉｐ  ＩｎｆｏとＤｏｗｎｌｏａｄｅｄ  Ｃｌｉｐ  ＡＶ  ＳｔｒｅａｍがＲＯＭディスク１６又は記録再生装置１０内の記録領域２０に存在するかどうかを判断する（ステップＳ１５）。ＲＯＭディスク１６又は記録再生装置１０内の記録領域２０に記録されているかどうかを判断する方法は、ファイルシステムを使って指定したファイル名を持つファイルが存在するかどうか、あるいは、ダウンロードされた関連ＡＶデータであればその管理情報に当該関連ＡＶデータをダウンロードしたことを示す情報を設けるなどの方法で判断することができる。
【００３９】
次に、記録再生装置１０は、管理情報のＤｏｗｎｌｏａｄｅｄ  Ｐａｔｈを構成するＰｌａｙｉｔｅｍが参照する関連ＡＶデータが存在するかどうかを、全てのＤｏｗｎｌｏａｄｅｄ  Ｐａｔｈに対して確認し（ステップＳ１６）、全てのＤｏｗｎｌｏａｄｅｄ  Ｐａｔｈに対して確認していない場合（ＮＯの場合）、上記ステップＳ１５に戻る。また、上記ステップＳ１６において、全てのＤｏｗｎｌｏａｄｅｄ  Ｐａｔｈに対して確認した場合（ＹＥＳの場合）、その確認結果に基づいて、管理情報のＤｏｗｎｌｏａｄｅｄ  Ｐａｔｈを構成するＰｌａｙｉｔｅｍが参照する関連ＡＶデータが存在すれば、その関連ＡＶデータを一覧にしてユーザに提示し、関連ＡＶデータが存在しなければ、一覧に表示しない。
ただし、本実施形態では管理情報のＤｏｗｎｌｏａｄｅｄ  Ｐａｔｈを構成するＰｌａｙｉｔｅｍが参照する関連ＡＶデータが存在しない場合、一覧に表示しないようにしているが、一覧に表示してもよく、この場合、関連ＡＶデータが再生可能であるか再生不可能であるかを、ユーザが区別できるような情報を表示するようにする。
【００４０】
次に、記録再生装置１０は、一覧に表示された関連ＡＶデータから、Ｍａｉｎｐａｔｈの管理する多重化（元の）ＡＶデータと組み合わせて同時に再生したい関連ＡＶデータを選択し（ステップＳ１７）、選択した関連ＡＶデータを元のＡＶデータに組み合わせて再生する。
【００４１】
ここで、前述の図３（Ｃ）に示したＤｏｗｎｌｏａｄｅｄ  Ｃｌｉｐ  ＡＶ  Ｓｔｒｅａｍ１、Ｄｏｗｎｌｏａｄｅｄ  Ｃｌｉｐ  ＡＶ  Ｓｔｒｅａｍ３をダウンロードした場合の関連ＡＶデータの再生処理を下記の図６及び図７に基づいて具体的に説明する。
図６は、記録再生装置１０内の記録領域２０に記録されている管理情報及び関連ＡＶデータの構成例を示す図である。
図７は、ＲＯＭディスク１６に記録されている関連情報及び元のＡＶデータと、記録再生装置１０内の記録領域２０に記録されている管理情報及び関連ＡＶデータとの対応関係の一例を示す図である。
図６に示すように、記録再生装置１０内の記録領域２０には、Ｄｏｗｎｌｏａｄｅｄ  Ｃｌｉｐ  ＡＶ  Ｓｔｒｅａｍ１、Ｄｏｗｎｌｏａｄｅｄ  Ｃｌｉｐ  ＡＶ  Ｓｔｒｅａｍ３、Ｄｏｗｎｌｏａｄｅｄ  Ｃｌｉｐ  Ｉｎｆｏ１、Ｄｏｗｎｌｏａｄｅｄ  Ｃｌｉｐ  Ｉｎｆｏ３、Ｄｏｗｎｌｏａｄｅｄ  Ｐｌａｙｌｉｓｔ１、Ｄｏｗｎｌｏａｄｅｄ  Ｐｌａｙｌｉｓｔ３が記録されている。この場合、Ｐａｔｈの一番多い管理情報Ｄｏｗｎｌｏａｄｅｄ  Ｐｌａｙｌｉｓｔ３が最新の管理情報として検索される。
【００４２】
次に、Ｄｏｗｎｌｏａｄｅｄ  Ｐａｔｈ１を構成するＰｌａｙｉｔｅｍが参照するＡＶデータ、つまりＤｏｗｎｌｏａｄｅｄ  Ｃｌｉｐ  ＡＶ  Ｓｔｒｅａｍ１とＤｏｗｎｌｏａｄｅｄ  Ｃｌｉｐ  Ｉｎｆｏ１が存在するか、Ｄｏｗｎｌｏａｄｅｄ  Ｐａｔｈ２を構成するＰｌａｙｉｔｅｍが参照するＡＶデータ、つまりＤｏｗｎｌｏａｄｅｄ  Ｃｌｉｐ  ＡＶ  Ｓｔｒｅａｍ２とＤｏｗｎｌｏａｄｅｄ  Ｃｌｉｐ  Ｉｎｆｏ２が存在するか、Ｄｏｗｎｌｏａｄｅｄ  Ｐａｔｈ３を構成するＰｌａｙｉｔｅｍが参照するＡＶデータ、つまりＤｏｗｎｌｏａｄｅｄ  Ｃｌｉｐ  ＡＶ  Ｓｔｒｅａｍ３とＤｏｗｎｌｏａｄｅｄ  Ｃｌｉｐ  Ｉｎｆｏ３が存在するかを判断する。この場合、Ｄｏｗｎｌｏａｄｅｄ  Ｃｌｉｐ  ＡＶ  Ｓｔｒｅａｍ１とＤｏｗｎｌｏａｄｅｄ  Ｃｌｉｐ  Ｉｎｆｏ１、Ｄｏｗｎｌｏａｄｅｄ  Ｃｌｉｐ  ＡＶ  Ｓｔｒｅａｍ３とＤｏｗｎｌｏａｄｅｄ  Ｃｌｉｐ  Ｉｎｆｏ３が存在するので一覧に表示され、図７に示すように、Ｃｌｉｐ  ＡＶ  Ｓｔｒｅａｍ１、Ｄｏｗｎｌｏａｄｅｄ  Ｃｌｉｐ  ＡＶ  Ｓｔｒｅａｍ１、Ｄｏｗｎｌｏａｄｅｄ  Ｃｌｉｐ  ＡＶ  Ｓｔｒｅａｍ３は、Ｄｏｗｎｌｏａｄｅｄ  Ｐｌａｙｌｉｓｔ３で管理される。本例ではＤｏｗｎｌｏａｄｅｄ  Ｃｌｉｐ  ＡＶ  Ｓｔｒｅａｍ２は一覧に表示されない。
この一覧を基に、ユーザはＤｏｗｎｌｏａｄｅｄ  Ｃｌｉｐ  ＡＶ  Ｓｔｒｅａｍ１またはＤｏｗｎｌｏａｄｅｄ  Ｃｌｉｐ  ＡＶ  Ｓｔｒｅａｍ３を選択する。選択したＤｏｗｎｌｏａｄｅｄ  Ｃｌｉｐ  ＡＶ  Ｓｔｒｅａｍ１またはＤｏｗｎｌｏａｄｅｄ  Ｃｌｉｐ  ＡＶ  Ｓｔｒｅａｍ３とＣｌｉｐ  ＡＶ  Ｓｔｒｅａｍ１を組み合わせて再生する。
【００４３】
例えば、ＲＯＭディスク１６に記録されている元のＡＶデータ（Ｃｌｉｐ  ＡＶ  Ｓｔｒｅａｍ１）として米国映画、Ｄｏｗｎｌｏａｄｅｄ  Ｃｌｉｐ  ＡＶ  Ｓｔｒｅａｍ１として日本語字幕、Ｄｏｗｎｌｏａｄｅｄ  Ｃｌｉｐ  ＡＶ  Ｓｔｒｅａｍ２として英語字幕、Ｄｏｗｎｌｏａｄｅｄ  Ｃｌｉｐ  ＡＶ  Ｓｔｒｅａｍ３としてオランダ語字幕とした場合、ＲＯＭディスク１６の再生時にＤｏｗｎｌｏａｄｅｄ  Ｃｌｉｐ  ＡＶ  Ｓｔｒｅａｍ１又はＤｏｗｎｌｏａｄｅｄ  Ｃｌｉｐ  ＡＶ  Ｓｔｒｅａｍ３を選択することができる。つまり、米国映画の再生時に日本語字幕，オランダ語字幕を選択することができるため、ＲＯＭディスク１６に記録されている米国映画と、ダウンロードした日本語字幕又はオランダ語字幕を組み合わせて同時に再生することができる。
【００４４】
＜ＡＶデータの削除方法＞
次に、上記ダウンロード方法を用いてダウンロードした管理情報により、記録再生装置１０内に挿入されたＲＯＭディスク１６に記録されている元のＡＶデータと関連のある、記録再生装置１０内に記録された関連ＡＶデータを削除する方法について下記の図８に基づいて説明する。
図８は、記録再生装置１０内の記録領域２０に記録された関連ＡＶデータを削除する方法を説明するためのフロー図である。最初に、ユーザが記録再生装置１０から、ＲＯＭディスク１６に記録されている元のＡＶデータの関連ＡＶデータの削除指示が行われる。記録再生装置１０は、挿入されているＲＯＭディスク１６に関連するＡＶデータの管理情報が、記録再生装置１０内の記録領域２０にダウンロードされて記録されているかどうか判断する（ステップＳ２１）。ＲＯＭディスク１６に関連するＡＶデータの管理情報であるかどうかの判断は、例えば、ＲＯＭディスク１６に記録されている元のＡＶデータのタイトル名を、ダウンロードされた管理情報に記録しておくなどが考えられる。
【００４５】
記録再生装置１０は、上記ステップＳ２１において、記録再生装置１０内の記録領域２０に、ＲＯＭディスク１６に記録されている元のＡＶデータに関連する管理情報がダウンロードされて記録されていない場合（ＮＯの場合）、ＡＶデータの削除処理を終了する。
【００４６】
また、上記ステップＳ２１において、記録再生装置１０内の記録領域２０に、ＲＯＭディスク１６に記録されている元のＡＶデータに関連する管理情報がダウンロードされて記録されている場合（ＹＥＳの場合）、記録再生装置１０内の記録領域２０に記録されている管理情報のうちで最新の、つまり、一番Ｐａｔｈの多い管理情報を検索し（ステップＳ２２）、検索した管理情報を解釈する（ステップＳ２３）。次に、管理情報の各Ｄｏｗｎｌｏａｄｅｄ  Ｐａｔｈを構成するＰｌａｙｉｔｅｍが参照する関連ＡＶデータ、つまりＤｗｏｎｌｏａｄｅｄ  Ｃｌｉｐ  ＩｎｆｏとＤｏｗｎｌｏａｄｅｄ  Ｃｌｉｐ  ＡＶ  Ｓｔｒｅａｍが記録再生装置１０内の記録領域２０に存在するかどうか判断する（ステップＳ２４）。記録再生装置１０内の記録領域２０に記録されているかどうかを判断する方法はファイルシステムを使って指定したファイル名を持つファイルが存在するかどうか、あるいは、ダウンロードされた関連ＡＶデータであればその管理情報に、当該関連ＡＶデータをダウンロードしたことを示す情報を設けるなどの方法で判断することができる。
【００４７】
次に、記録再生装置１０は、管理情報のＤｏｗｎｌｏａｄｅｄ  Ｐａｔｈを構成するＰｌａｙｉｔｅｍが参照する関連ＡＶデータが存在するかどうかを全てのＤｏｗｎｌｏａｄｅｄ  Ｐａｔｈに対して確認し（ステップＳ２５）、全てのＤｏｗｎｌｏａｄｅｄ  Ｐａｔｈに対して確認していない場合（ＮＯの場合）、上記ステップＳ２４に戻る。また、上記ステップＳ２５において、全てのＤｏｗｎｌｏａｄｅｄ  Ｐａｔｈに対して確認した場合（ＹＥＳの場合）、その確認結果に基づいて、管理情報のＤｏｗｎｌｏａｄｅｄ  Ｐａｔｈを構成するＰｌａｙｉｔｅｍが参照する関連ＡＶデータが存在すれば、その関連ＡＶデータを一覧にしてユーザに提示し、関連ＡＶデータが存在しなければ、一覧に表示しない。
ただし、本実施形態では管理情報のＤｏｗｎｌｏａｄｅｄ  Ｐａｔｈを構成するＰｌａｙｉｔｅｍが参照する関連ＡＶデータが存在しない場合、一覧に表示しないようにしたが、一覧に表示してもよく、この場合、削除可能であるか削除不可能であるかを、ユーザが区別できる情報を表示する。
【００４８】
次に、記録再生装置１０は、ユーザが、一覧に表示された関連ＡＶデータから削除するデータを選択する（ステップＳ２６）。記録再生装置１０は、ユーザにより選択された関連ＡＶデータ、つまりＤｏｗｎｌｏａｄｅｄ  Ｃｌｉｐ  ＩｎｆｏとＤｏｗｎｌｏａｄｅｄ  Ｃｌｉｐ  ＡＶ  Ｓｔｒｅａｍを削除する（ステップＳ２７）。
【００４９】
ここで、前述の図６に示した記録領域２０から、Ｄｏｗｎｌｏａｄｅｄ  Ｃｌｉｐ  Ｉｎｆｏ３及びＤｏｗｎｌｏａｄｅｄ  Ｃｌｉｐ  ＡＶ  Ｓｔｒｅａｍ３を削除する例について下記の図９及び図１０に基づいて説明する。
図９は、図６に示した記録領域２０からＤｏｗｎｌｏａｄｅｄ  Ｃｌｉｐ  Ｉｎｆｏ３及びＤｏｗｎｌｏａｄｅｄ  Ｃｌｉｐ  ＡＶ  Ｓｔｒｅａｍ３を削除した後の記録領域２０に記録されている管理情報及び関連ＡＶデータの一例を示す図である。
図１０は、図６に示した記録領域２０からＤｏｗｎｌｏａｄｅｄ  Ｃｌｉｐ  Ｉｎｆｏ３及びＤｏｗｎｌｏａｄｅｄ  Ｃｌｉｐ  ＡＶ  Ｓｔｒｅａｍ３を削除した後のＲＯＭディスク１６に記録されている関連情報及び元のＡＶデータと、記録再生装置１０内の記録領域２０に記録されている管理情報及び関連ＡＶデータとの対応関係の一例を示す図である。
前述の図６に示すように、記録再生装置１０内の記録領域２０には、Ｄｏｗｎｌｏａｄｅｄ  Ｃｌｉｐ  ＡＶ  Ｓｔｒｅａｍ１、Ｄｏｗｎｌｏａｄｅｄ  Ｃｌｉｐ  ＡＶ  Ｓｔｒｅａｍ３、Ｄｏｗｎｌｏａｄｅｄ  Ｃｌｉｐ  Ｉｎｆｏ１、Ｄｏｗｎｌｏａｄｅｄ  Ｃｌｉｐ  Ｉｎｆｏ３、Ｄｏｗｎｌｏａｄｅｄ  Ｐｌａｙｌｉｓｔ１、Ｄｏｗｎｌｏａｄｅｄ  Ｐｌａｙｌｉｓｔ３が記録されている。この場合、最新の管理情報としてＤｏｗｎｌｏａｄｅｄ  Ｐｌａｙｌｉｓｔ３が検索される。
【００５０】
次に、Ｄｏｗｎｌｏａｄｅｄ  Ｐａｔｈ１を構成するＰｌａｙｉｔｅｍが参照する関連ＡＶデータ、つまりＤｏｗｎｌｏａｄｅｄ  Ｃｌｉｐ  ＡＶ  Ｓｔｒｅａｍ１とＤｏｗｎｌｏａｄｅｄ  Ｃｌｉｐ  ｉｎｆｏ１が存在するかどうか、Ｄｏｗｎｌｏａｄｅｄ  Ｐａｔｈ２を構成するＰｌａｙｉｔｅｍが参照する関連ＡＶデータ、つまりＤｏｗｎｌｏａｄｅｄ  Ｃｌｉｐ  ＡＶ  Ｓｔｒｅａｍ２とＤｏｗｎｌｏａｄｅｄ  Ｃｌｉｐ  ｉｎｆｏ２が存在するかどうか、Ｄｏｗｎｌｏａｄｅｄ  Ｐａｔｈ３を構成するＰｌａｙｉｔｅｍが参照する関連ＡＶデータ、つまりＤｏｗｎｌｏａｄｅｄ  Ｃｌｉｐ  ＡＶ  Ｓｔｒｅａｍ３とＤｏｗｎｌｏａｄｅｄ  Ｃｌｉｐ  ｉｎｆｏ３が存在するかどうかを判断する。この場合、Ｄｏｗｎｌｏａｄｅｄ  Ｃｌｉｐ  ＡＶ  Ｓｔｒｅａｍ１とＤｏｗｎｌｏａｄｅｄ  Ｃｌｉｐ  ｉｎｆｏ１、Ｄｏｗｎｌｏａｄｅｄ  Ｃｌｉｐ  ＡＶ  Ｓｔｒｅａｍ３とＤｏｗｎｌｏａｄｅｄ  Ｃｌｉｐ  ｉｎｆｏ３、が存在するので一覧に表示される。本例ではＤｏｗｎｌｏａｄｅｄ  Ｃｌｉｐ  ＡＶ  Ｓｔｒｅａｍ２は一覧に表示されない。
【００５１】
次に、ユーザが一覧からＤｏｗｎｌｏａｄｅｄ  Ｃｌｉｐ  ＡＶ  Ｓｔｒｅａｍ３を選択すると、Ｄｏｗｎｌｏａｄｅｄ  Ｃｌｉｐ  ＡＶ  Ｓｔｒｅａｍ３とＤｏｗｎｌｏａｄｅｄ  Ｃｌｉｐ  Ｉｎｆｏ３が削除される。しかし、管理情報（本例の場合、Ｄｏｗｎｌｏａｄｅｄ  Ｐｌａｙｌｉｓｔ３）は削除されない。このとき、図９に示すように、記録再生装置１０内にはＤｏｗｎｌｏａｄｅｄ  Ｃｌｉｐ  ＡＶ  Ｓｔｒｅａｍ１、Ｄｏｗｎｌｏａｄｅｄ  Ｃｌｉｐ  Ｉｎｆｏ１、Ｄｏｗｎｌｏａｄｅｄ  Ｐｌａｙｌｉｓｔ１、Ｄｏｗｎｌｏａｄｅｄ  Ｐｌａｙｌｉｓｔ３が記録されている。このとき、図１０に示すように、削除されずに残ったＣｌｉｐ  ＡＶ  Ｓｔｒｅａｍ１、Ｄｏｗｎｌｏａｄｅｄ  Ｃｌｉｐ  ＡＶ  Ｓｔｒｅａｍ１はＤｏｗｎｌｏａｄｅｄ  Ｐｌａｙｌｉｓｔ３で再生管理される。
【００５２】
例えば、ＲＯＭディスク１６に記録されている元のＡＶデータ（Ｃｌｉｐ  ＡＶ  Ｓｔｒｅａｍ１）として米国映画、Ｄｏｗｎｌｏａｄｅｄ  Ｃｌｉｐ  ＡＶ  Ｓｔｒｅａｍ１として日本語字幕、Ｄｏｗｎｌｏａｄｅｄ  Ｃｌｉｐ  ＡＶ  Ｓｔｒｅａｍ２として英語字幕、Ｄｏｗｎｌｏａｄｅｄ  Ｃｌｉｐ  ＡＶ  Ｓｔｒｅａｍ３としてオランダ語字幕とした場合、Ｄｏｗｎｌｏａｄｅｄ  Ｃｌｉｐ  ＡＶ  Ｓｔｒｅａｍ１，Ｄｏｗｎｌｏａｄｅｄ  Ｃｌｉｐ  ＡＶ  Ｓｔｒｅａｍ３を選択、つまり日本語字幕，オランダ語字幕を選択することができる。本例では、Ｄｏｗｎｌｏａｄｅｄ  Ｃｌｉｐ  ＡＶ  Ｓｔｒｅａｍ３を削除、つまりオランダ語字幕を削除した状態を示している。
【００５３】
ただし、ＡＶデータの削除方法の例では、記録再生装置１０内にＲＯＭディスク１６が挿入されている場合について説明したが、これに限定されるものではない。記録再生装置１０内にＲＯＭディスク１６が挿入されていない場合でも、ＡＶデータを削除することができる。すなわち、記録再生装置１０内の記録領域２０に記録されている管理情報のみで、記録再生装置１０内の記録領域２０に記録された関連ＡＶデータ、つまりＤｏｗｎｌｏａｄｅｄ  Ｃｌｉｐ  ＩｎｆｏとＤｏｗｎｌｏａｄｅｄ  Ｃｌｉｐ  ＡＶ  Ｓｔｒｅａｍを削除することができる。
【００５４】
なお、これまでの実施形態の説明において管理情報のＰａｔｈが４個の場合について示したが、４個に限定されるものではない。
また、実施形態の説明ではＲＯＭディスク１６に記録されている元のＡＶデータと、記録再生装置１０内の記録領域２０に記録された関連ＡＶデータとを同時に再生する場合を説明した。しかし、この場合に限定されるものではなく、元のＡＶデータもダウンロードした関連ＡＶデータも記録領域を限定されるものではない。すなわち、外部の記録メディア（ＲＯＭディスク１６）であっても、記録再生装置１０内の記録領域２０でも、ネットワーク上の（サーバ装置等の）記録領域２０でもよく、また、これらが同じ領域内であっても良い。
【００５５】
また、記録再生装置１０内の記録領域２０に記録する関連ＡＶデータはダウンロードしたＡＶデータとしたが、入力元を限定されるものではない。例えば、外部記録媒体から取得して記録してもよい。
また、記録再生装置１０内にはＡＶデータを記録しておくための記録領域をもつことを前提として説明してきたが、記録再生装置１０内に記録領域を持たず、リムーバブルな記録媒体を読み書きするための入力デバイスインタフェースを備え、その記録媒体にＡＶデータを記録するようにしてもよい。
【符号の説明】
【００５６】
１０…記録再生装置、１１…処理部、１２…外部デバイスインタフェース、１３…デバイスインタフェース、１４…ネットワークインタフェース、１５…ユーザインタフェース、１６…記録媒体（ＲＯＭディスク）、１７…ネットワーク、１８…ディスプレイ、１９…コントローラ、２０…記録媒体（記録領域）、１０１…ディスク状記録媒体。
【図１】
2010205396.tif 000003
【図２】
2010205396.tif 000004
【図３】
2010205396.tif 000005
【図４】
2010205396.tif 000006
【図５】
2010205396.tif 000007
【図６】
2010205396.tif 000008
【図７】
2010205396.tif 000009
【図８】
2010205396.tif 000010
【図９】
2010205396.tif 000011
【図１０】
2010205396.tif 000012
【図１１】
2010205396.tif 000013
【図１２】
2010205396.tif 000014